Podtech/llm-jp-corpus-v4-ja_patent huggingface dataset:
(57)【要約】      （修正有）【課題】広場さえあればネットを広げてテニスの練習ができるようにする。【解決手段】ネットを取り付けたパイプをつなぐことにより、コートを分けるネットを形成する。パイプによる接続を利用しているため、組み立て・分解も簡単にでき、分解時は小さく収納できる。ネットから紐を伸ばし、コートの奥行き（長さ）を表示する。紐は地面が土の場合は金具のピンで、コンクリート・舗装等の場合はガムテープで留めるようにする。【選択図】図１
0003101130.tif 000002
【実用新案登録請求の範囲】
【請求項１】
分解、組み立てが容易にできるネットを作り、コートの奥行き（長さ）を示す紐を張ることにより、持ち運びも容易で、どこでも気軽に実戦感覚のテニスの練習ができるようにした簡易テニス練習用コート。
【考案の詳細な説明】
【技術分野】
【０００１】
本考案は公園、広場等の空き地に本「簡易テニス練習コート」を組み立て、広げることによりできるテニスの練習用具に関するものである。
【背景技術】
【０００２】
テニスの練習用としてはネットのついたフェンスがあるが、分解・組み立てに時間を要し、持ち運びも不便であった。また、中央のネット部分のみであり、コートの奥行き（長さ）がわからなかった。
【０００３】
この改善策として、ネット本体はパイプの連結を利用した組み立て・分解が容易な構造とし、コートの奥行き（長さ）がわかるよう中央ネット部分より紐を伸ばし、コートのエンドラインを示すようにした。
【特許文献１】公開実用昭和６０−１４１８７２
【考案の開示】
【考案が解決しようとする課題】
【０００４】
テニスコート以外でのテニスの練習用具として、従来からネットフェンスはありましたが、分解・組み立てが容易にできるようにし、持ち運びと準備・片づけが簡単にできるようにする。中央ネットから紐を張り、コートの奥行き（長さ）を示すことにより、打球時の距離感を養うことができる。
本「簡易テニス練習コート」は、ネットの高さとコートの奥行き（長さ）を実際のものと同様にし、意識させることにより実戦同様の練習を可能にする。
【課題を解決するための手段】
【０００５】
ネットを取り付けたパイプをつなぐことにより、コートを分けるネットを形成する。パイプによる接続を利用しているため、組み立て・分解も簡単にでき、分解時は小さく収納できる。ネットから紐を伸ばし、コートの奥行き（長さ）を表示する。紐は地面が土の場合は金具のピンで、コンクリート・舗装等の場合はガムテープで留めるようにする。紐は絡みにくいようにするため、リール式の巻き取り可能なものとする。
【考案の効果】
【０００６】
ちょっとテニスの練習がしたいけどテニスコートがない。そんな時でも広場・公園があれば本「簡易テニス練習コート」を広げて本格的なテニスの練習ができます。ネットの高さ・コートの奥行き（長さ）を実際のものと合わせることにより、より実戦感覚の練習が可能となります。ちょっとした練習ではネットだけを張ってもいいし、打球の距離感もつかみたければコートの奥行き（長さ）を示す紐を広げて張ります。紐にはコートの奥行き（長さ）の箇所に印をつけておき、地面が土の場合は金具ピンで留め、舗装地面の場合はガムテープで留めます。練習は１人ではできなく、相手が要りますが、壁打ちやゴム付ボールと違って生きたボールを打つことができます。パイプ連結による構造のため組み立て・分解が簡単なものになっておりますので、人が２人いれば充分に組み立て・分解ができます。また、持ち運びもまとめて１つのケースに入れれば１人で背負って楽に移動できます。
【考案を実施するための最良の形態】
【０００７】
簡単に組み立て・分解ができるようにパイプをつなげて組み立てるようにした。図面について説明するとパイプにネットを取り付け、パイプとパイプをはめてつないでいく構造とした。コートの奥行き（長さ）を示すため、ネットから紐を伸ばし地面に金具ピンもしくはガムテープで固定するようにした。紐は絡みにくいようにするため、リール式の巻き取り可能なものとする。コートの幅については、あくまでも安定したストロークの練習用と考えれば実際のコートの幅に合わせる必要はない。
【実施例】
【０００８】
本考案はコート外でテニスの練習を簡単にすることを想定したものであるため、本体自体の組み立て・分解・また、分解時の小型化が必要となる。そのため、本体は誰でも簡単に組み立て・分解ができるようパイプの連結によるものとした。コートの奥行き（長さ）を示すため、中央ネットから紐を伸ばし、地面に固定し、コートのエンドラインを示す。
【図面の簡単な説明】
【０００９】
【図１】組み立て後の全体図である。
【図２】組み立て前の各部品図である。
【符号の説明】
【００１０】
１  ネット
２  紐（エンドラインを示す）コートの長さを示す所に印をしておく。
３  紐巻き取りケース（リール式）
４  地面が土の場合金具ピンで刺して留める。（数箇所）
５  地面が舗装の場合ガムテープで留める。（数箇所）
６  ネットを支える足の部品（２本）
７  ネットを支える足の部品（２本）
８  ネットを吊るす上部横バーを通すリング
９  縦支柱（２本）
10  ネットを吊るす上部横バー
【図１】
0003101130.tif 000003
【図２】
0003101130.tif 000004
(57)【要約】      （修正有）【課題】特趣な鏡を細工する事に依り後方の確認を容易に出来る様にする。【解決手段】自動車用サイドミラ−は従来のサイドミラ−と違い鏡の下部１／４に１５度の角度を内側に付ける事で後方部分の視界を充分取れる様にしたものである。【選択図】図１
0003101128.tif 000002
【実用新案登録請求の範囲】
【請求項１】
本考案のトリップサイドミラ−は従来の車のサイドミラ−と
0003101128.tif 000006
後方の安全確認を容易に出来る様にしたものである。
【考案の詳細な説明】
【考案の詳細な説明】
〔産業上の利用分野〕
【０００１】本考案のトリップサイドミラ−は従来のサイドミラ−と違い
0003101128.tif 000003
出来る様にしたものである。
〔従来の技術〕
【０００２】従来のサイドミラ−は平面の為充分な後方確認が出来ない場合が多かった。
【考案開示】
〔考案が解決しようとする課題〕
【０００３】本考案のトリップサイドミラ−は後方安全性はもとより特に後方下部分の視界を充分に取れる様にしたものである。
〔問題を解決するための手段〕
【０００４】
0003101128.tif 000004
内側に１５度の角度を付ける事に依り後方の視界を従来のサイドミラ−より充分に取れる様にしたものである。
〔作用〕
【０００５】
0003101128.tif 000005
１５度の角度を付ける事で後部タイヤの部分迄後方の視界がはっきりする様にした。
〔実施例〕
【０００６】（１）従来の自動車用サイドミラ−
（２）従来の自動車サイドミラ−平面図
（３）本考案のサイドミラ−の平面図
（４）本考案のサイドミラ−の断面図
【０００７】本考案の実施例は上述の如き構成からなるものであるから本考案のサイドミラ−を取付ける事に依り後方の視界が充分取れる様にした。
〔考案の効果〕
【０００８】上述の様にミラ−の下部面を内側に１５度の角度を付ける事で後方の視界を充分取れる様にした。
【図面の簡単な説明】
【０００９】
【図１】  従来の自動車のサイドミラ−
【図２】  本考案に係るサイドミラ−の平面図及断面図
【符号の説明】
【００１０】１  従来の自動車のサイドミラ−
２  従来の自動車用サイドミラ−の平面図
３  本考案のサイドミラ−平面図
４  本考案のサイドミラ−断面図
【図１】
0003101128.tif 000007
【図２】
0003101128.tif 000008
(57)【要約】
【課題】    飲料用缶容器の内側（図２を参照）に切り込みを設ける事により
飲み終わった缶容器を足でつぶして捨てやすくし、缶の体積を少な
くすることで、ちりかごが従来より５〜６倍くらい利用でき、また
缶容器を再利用することにより資源の有効な活用が期待できるもの
と考えられる。
【解決手段】  飲料用缶容器の内側（図２を参照）に切り込みを設ける事によ
り、足で簡単につぶせて、ちりかごにすてられるので、ポイ捨てなどが無くなり環境面からも、期待できるものと考えられる。
【選択図】  図２
0003101140.tif 000002
【実用新案登録請求の範囲】
【請求項１】
飲料用缶容器の内側（図２を参照）に、切り込みを設ける
事により、今までは、飲み終わった缶をそのままちりかごに入れていたものを、飲み終わってから、缶を機械でつぶすことなく、手や足で簡単につぶしてからちりかごに入れると、ちりかごが従来よりも５〜６倍も多く入り、また、リサイクルの面からも便利になることを特徴とする飲料用缶容器。
【考案の詳細な説明】
【技術分野】
【０００１】
本考案は、飲料用缶容器の内側（図２を参照）に、切り込みを設ける事により飲み終わったスチール缶だと、小学生低学年の足で簡単につぶせて、また、アルミニューム缶だと、幼稚園児の足で簡単につぶせるので、こどもの頃から物（資源）への大切さを勉強（理解）でき、また、リサイクルにとっても良い
と考えられる。
【背景技術】
【０００２】
従来のこの種の飲料用缶容器については、図１のような物しか現在のところ知られていない。
【考案の開示】
【考案が解決しようとする課題】
【０００３】
従来の飲料用缶容器は、飲み終わったあと、缶をつぶしてちりかごに入る人はほとんどおらず、これがちりかごをすぐたくさんにする原因となっていたり、また、缶の飲み残しがあれば、不衛生となつていた。
【０００４】
こんなことを無くすためにも、缶（図２を参照）の内側に切り込みを設けることにより、幼稚園児または小学生の低学年生でも簡単に足でつぶすことができ、それをちりかごに入れることにより、ちりかごが従来より５〜６倍も入ると予想され、また、こどもなどにも資源の大切さを理解させことができると考えられる。
【課題を解決するための手段】
【０００５】
飲料用缶容器の内側（図２を参照）に切り込みを設ける事により、簡単に足でつぶせるため、資源の再利用ができ、衛生上からも良いと考えられる。
【考案の効果】
【０００６】
飲料用缶容器の内側（図２を参照）に切り込みを設ける事により、飲み終わつてから、缶をつぶして捨てるので缶自体の容積が小さくなるのでちりかごの中が従来よりかさばらなくなるので、ちりかごが今までより、５〜６倍ほど多く利用でき、ポイ捨ても無くなり、資源の有効利用が期待できるものと考ええられる。
【考案を実施するための最良の形態】
【０００７】
考案実施の形態については、図面を参照して説明をする。
【０００８】
図２においては、飲料用缶容器に切り込みを、立てまたは横に数箇所設けることにより、簡単に足でつぶしてちりかごに捨てることにより、今まで以上にちりかごを有効利用され、資源の利用活用が図られるものと考えられる
【図面の簡単な説明】
【０００９】
【図１】従来の飲料用缶容器
【図２】実用新案登録申請の飲料用缶容器
【符号の説明】
【００１０】
１    缶の本体
２    開口部（タブ）
３    切り込みの部分（立てまたは横に数箇所に切り込みを設け、切り込みについては、立及び横にくさび形及びやま形のくぼみを入れる。）
【図１】
0003101140.tif 000003
【図２】
0003101140.tif 000004
(57)【要約】
【課題】加工栗の果皮に予め割れ易い加工を施しておくことにより果皮を剥き易くする。
【解決手段】茹でたりあるいは煎ったりして加工した栗の果皮に対し、予め横一文字状の横切り込み又は縦方向の縦切り込みとした線状の切り込みやミシン目、あるいは十文字状の切り込み若しくはミシン目を施す。  これにより切り込み部分に対して交差方向に爪先を圧し当てることにより果皮を容易に除去することができるとともに、風味を損なわない加工栗を提供できる。
【選択図】図４
0003101139.tif 000002
【実用新案登録請求の範囲】
【請求項１】
加工した栗の果皮に対し、予め線状の切り込みを施してなることを特徴とした加工栗。
【請求項２】
線状の切り込みがミシン目状であるところの請求項１に記載の加工栗。
【請求項３】
線状の切り込みが果皮の正面又は背面に対して施されたものである請求項１又は請求項２に記載の加工栗。
【請求項４】
線状の切り込みが果皮の正面又は背面に対して横一文字状の横切り込み又は縦方向の縦切り込みとして施されるものであるところの請求項１又は請求項２に記載の加工栗。
【請求項５】
線状の切り込みが果皮の正面又は背面に対して十文字状に施されたものである請求項１又は請求項２に記載の加工栗。
【考案の詳細な説明】
【技術分野】
【０００１】
本考案は、果皮自体に線状又は十文字状の切り込み若しくはミシン目を施した加工栗に関し、栗の果皮を剥開し易くするとともに、切り込みやミシン目を施すことにより風味を損なわないようにすることを目的とする。
【背景技術】
【０００２】
加工栗は多数の生栗を茹でたり煎った後、通常はこれを果皮（殻）付きのまま小袋に数十個単位で詰め込んで販売されることが多い。
【考案の開示】
【考案が解決しようとする課題】
【０００３】
しかしながら栗は堅果の代表ともいわれ、上記の加工栗は果皮が比較的硬いために、通常は刃物を用いて果皮の一部を切除して取り去り、あるいは指の爪先で果皮の側面に線状の切り込みを入れて果皮を取り去って中身の実を食することが多く、また最近では果皮の一部に線状の切り込みを入れるための金属製の爪片も用いられているが、このような爪片を別途用意する手間を要し、また刃物を用いる場合には手先に思わぬ怪我をすることが多く、また指の爪先を傷めたりしやすいところから、不安定な栗の形状に起因して食べ難いところから加工栗の人気はあまり高くない。
【課題を解決するための手段】
【０００４】
そこで本考案は、果皮を容易に取り去ることが可能とすることにより、加工栗の人気を高め、販売促進をはかるようにしたものであって、具体的には茹でたりあるいは煎ったりして加工した栗の果皮に対し、予め横一文字状の横切り込み又は縦方向の縦切り込みとした線状の切り込みやミシン目、あるいは十文字状の切り込み若しくはミシン目を施すことにより果皮を容易に除去することができるようにしたものである。
【考案の効果】
【０００５】
上記の構成において、加工栗を食す場合に、予め果皮に施されている線状の切り込みやミシン目、あるいは十文字状の切り込み若しくはミシン目による切り込み部分に対して交差方向に、指の爪先を圧し当てると、該部分の切り込み等に沿って容易に果皮を裂開させることができるため、不安定な形状の栗の果皮を簡単に除去して中身の実の部分を取り出して食することができる。
【考案を実施するための最良の形態】
【０００６】
以下において本考案の具体的な内容を図１〜４に示した各実施例をもとに説明すると、１は外側が硬い果皮２で覆われた加工栗をあらわし、果皮２は周知のように、比較的幅が狭く、しかも上端の頂部３にかけて緩やかな肩部を形成している左右の側面４ａおよび４ｂを介して正面５および反対側の背面（図示省略）と底面６とを有する。
【０００７】
さらに、果皮２の正面５には予め線状の切り込み７が施されている。  この切り込み７については、以下の施しかたがある。  すなわち、図１の第１実施例においては果皮２の正面５に、単に横一文字の線状の切り込み７を施すようにしたものである。  この場合には親指の爪を切り込み７に対して交差方向（縦方向）に押し当てることにより、果皮２の正面５を裂割し、そこを起点に果皮２の全体を破って除去することができる。  なお、図１の実施例以外にも縦方向の縦切り込みとした線状の切り込みとして施すようにしてもよい。
【０００８】
また、図２の第２実施例においては、果皮２の正面５に横切り込み７ａと、これに交差する縦切り込み７ｂとによる十文字状の切り込み７が施されている。  これによれば、親指の爪を横切り込み７ａに対して交差方向、すなわち縦切り込み７ｂに並行に押し当てることができ、縦切り込み７ｂのみの爪による押圧で十分でない場合に横切り込み７ａを押圧して果皮２の正面５を容易に裂割することができる。
【０００９】
さらに、図３の第３実施例においては、果皮２の正面５に、横一文字のミシン目線７ｃによる線状の切り込み７を施すようにしたものであり、また図４の第４実施例においては果皮２の正面５に横一文字のミシン目線による横切り込み７ｄと、これに交差する縦方向のミシン目線による縦切り込み７ｅとによる十文字状の切り込み７が施されている。  なお図３の実施例以外にも、縦方向のミシン目による縦切り込みとした線状の切り込みとして施すようにしてもよい。
【００１０】
これらの実施例によれば、図１の単に横一文字の線状の切り込み７を施し、あるいは図２のように十文字状の切り込み７を施したものに比べ、切り込みによる開口面積が著しく小さいために果皮２内の栗の実の風味を損ない難く、比較的長時間にわたる保存が可能となる。
【００１１】
また特に上記第４実施例のようにミシン目による十文字状の切り込みを施した場合においては、親指の爪を縦切り込み７ｅ、あるいは横切り込み７ｄの何れかに並行に押し当てることができ、縦切り込み７ｅのみの爪による押圧で十分でない場合に横切り込み７ｄを押圧して果皮２の正面５を容易に裂開することができることに加えて、風味を損ない難いために加工栗として最適である。
【００１２】
なお、上記第１〜４の各実施例においては、線状の切り込み７を果皮の正面５に施す場合について説明したが、これらの線状の切り込み７を背面に施してもよい。
【図面の簡単な説明】
【００１３】
【図１】本考案の第１実施例である加工栗の正面図。
【図２】本考案の第２実施例である加工栗の正面図。
【図３】本考案の第３実施例である加工栗の正面図。
【図４】本考案の第４実施例である加工栗の正面図。
【符号の説明】
【００１４】
１        加工栗
２        果皮
３        頂部
４        側面
５        正面
６        底面
７        線状の切り込み
【図１】
0003101139.tif 000003
【図２】
0003101139.tif 000004
【図３】
0003101139.tif 000005
【図４】
0003101139.tif 000006
(57)【要約】
【課題】  頭部に着用して遠赤外線放射効果が大きく、柔軟で美観に優れたビーズキャップを提供する。
【構成】  遠赤外線放射物質からなる粒状の遠赤外線ビーズ１に糸状体３を通して格子状に編組し、ドーム状に形成した主部４と、主部４下方の開口縁に続く円筒状の保持部５を一体に形成する。前記糸状体３は少なくとも保持部５においては伸縮性を有し、頭部の回りに圧着保持させる。編組される遠赤外線ビーズ１の間に装飾ビーズ２を挿入して編組することによりファッション性を増大させることができる。
【選択図】    図１
0003101131.tif 000002
【実用新案登録請求の範囲】
【請求項１】
遠赤外線放射物質からなるビーズに糸状体を通して格子状に編組し、ドーム状に形成した主部と、主部下方の開口縁に続く円筒状に形成した保持部とをそなえ、少なくとも保持部の糸状体が伸縮性を有することを特徴とするビーズキャップ。
【請求項２】
前記遠赤外線放射物質からなるビーズ相互の間に、装飾ビーズを挿入して編組している請求項１のビーズキャップ。
【請求項３】
前記遠赤外線放射物質からなるビーズが、ブラックシリカ３８％、ポリプロピレン６２％からなる粒状体である請求項１または２のビーズキャップ。
【考案の詳細な説明】
【技術分野】
【０００１】
本考案は、遠赤外線放射物質を用いて健康維持、血行促進の改善などの効果を得られるキャップに関する。
【背景技術】
【０００２】
従来より、ファインセラミックス、トルマリンなどの遠赤外線放射物質を利用して、健康増進を図ることは良く知られている。（たとえば特許文献１参照）
また、頭髪の育成や脱毛を抑制するため、頭に被着する一定の剛性を有する椀状主体を形成して、その内面にセラミック材などの遠赤外線放射物質層を設け、この椀状主体に複数個の通気孔を設けて蒸れを解消させ、主体に頭部外面に当接する保持体を取り付けた帽子体が提案されており（特許文献２参照）、頭部に装着するネットにトルマリンを接着、縫い付けなどにより固着させた育毛用ネットも提案されている。（特許文献３参照）
また、多孔質のセラミックを用いて遠赤外線を放射させるビーズ、およびこのセラミックビーズを使ったネックレスや液体若しくは気体から特定の成分を除去するフイルタが、特許文献４に開示されている。
【特許文献１】特開平６−４９７３５号公報
【特許文献２】特開平８−７４１１２号公報
【特許文献３】実用新案登録第３０８４５８１号
【特許文献４】特開２０００−３５１６６６号公報
【考案の開示】
【考案が解決しようとする課題】
【０００３】
しかるに、これら従来の帽子体は、遠赤外線放射物質を布、不織布、ネットなどにコーティング、接着などの手段によって取り付け固着させているため、放射性物質の付着層が薄く、十分な放射線量が得られなかったり、帽子素材に固着させるため、布やネットの柔軟性が失われて手触りが悪く、頭部へ馴じみにくく遠赤外線効果が乏しくなるなどの欠点があり、携帯や保管時のスペースが大きくなるなどの問題があった。
また、セラミックのビーズ自体は、特許文献４にも示されているが、遠赤外線効果をそなえたビーズを編組してファッション性のキャップを形成したものは、考えられていなかった。
本考案は、このような点にかんがみ、柔軟で収納時に折り畳み易いとともに、頭部に良くフィットし、遠赤外線効果が大きく、外観も優美でファッション性をそなえたビーズキャップを提供する。
【課題を解決するための手段】
【０００４】
このため、請求項１のように、ブラックシリカなどの遠赤外線放射物質を粒状のビーズに形成し、糸状体を通して格子状に編組し、ドーム状に形成した主部と、主部下方の開口縁から一体に続いて編組した円筒状の保持部を形成させ、少なくとも保持部は、伸縮性を有する糸状体を用いている。
なお、編組みするビーズの形状は、任意に選択できるが、球状あるいはラグビーボール状にしたものを用いると丸みがあって好適である。
【０００５】
また、遠赤外線放射物質のビーズのみで編組してもよいが、請求項２のように、遠赤外線ビーズ相互の間に装飾用のビーズを適宜に挿入して編組するようにすれば、ファッション性を増すことができる。
前記遠赤外線放射物質のビーズは、実験データによればブラックシリカ３５〜４０％、ポリプロピレン６５〜６０％、好ましくはブラックシリカ３８％、ポリプロピレン６２％からなる成分のものが有効であった。
【考案の効果】
【０００６】
このように、遠赤外線放射物質からなる粒状のビーズを単独あるいは、装飾用のビーズとともに伸縮性の糸状体を用いて編組し、ドーム状の主部と、主部下方の開口縁に続く円筒状の保持部を形成しているので、全体の遠赤外線放射物質量を増大させるとともに、柔軟性が大きく、頭部への密着状態が良好になり、血行の改善や新陳代謝の活発化などの遠赤外線効果を十分に発揮でき、痴呆症や頭部疾患（血栓、内出血など）の予防、眼精疲労や肩こりなどの改善等の効果が得られる。なお、粒状のビーズが頭部のツボを有効に刺激するとともに編組のため通気性が良いなどの効果がある。
【０００７】
また、遠赤外線放射物質ビーズの間に装飾用のビーズを挿入して編組することにより、美観が増大し、着用したときのファッション性を持たせることができる。
【考案を実施するための最良の形態】
【０００８】
図１は本考案の実施例を示す正面図、図２はその一部を拡大した断面図である。
１は遠赤外線放射物質からなる遠赤外線ビーズで、実施例では直径７ｍｍ程度の球状のものを用いている。２は装飾ビーズで、小径のプラスティックビーズ、３は伸縮性の糸状体、４は主部、５は保持部である。
遠赤外線ビーズ１を環状に繋いだ頂部段１ａから、複数の放射状に糸状体３を延ばして装飾ビーズ２を通し、隣り合う２本ごとの糸状体３に１つの遠赤外線ビーズ１に通して第２段１ｂを編組し、順次遠赤外線ビーズ１の間隔を広げるように第３段１ｃ、第４段１ｄ・・・を編組し、ドーム状の主部４を形成させる。
【０００９】
主部４の最下段のビーズに、横方向に通した伸縮性を有する糸状体をそなえ、遠赤外線ビーズ１のそれぞれから装飾ビーズ２を挿入した糸状体３を平行に並べて編組し、下端部を横方向に連結して編組し、円筒状の保持部５を形成させる。なお、図では保持部を１段で示しているが、横方向の編組を複数段に形成させることができる。
なお、図に示した装飾ビーズを、遠赤外線ビーズ１と形状を変えた遠赤外線ビーズとして変化を持たせ、また、ブラックシリカを含む黒色のビーズの外面に適宜の着色をして編組することもできる。
【図面の簡単な説明】
【００１０】
【図１】本考案の実施例を示す正面図である。
【図２】図１の一部の断面図である。
【符号の説明】
【００１１】
１  遠赤外線ビーズ
２  装飾ビーズ
３  糸状体
４  主部
５  保持部
【図１】
0003101131.tif 000003
【図２】
0003101131.tif 000004
(57)【要約】
【課題】ハンドウォーム機能を備えたポシェットを提供する。
【解決手段】前後、左右、上下の各面を構成する前布１１ｆ、後布１１ｂ、上布１１ｔ、底布１１ｕ、右側布１１ｒ、左側布１１ｌを縫い合わせてなる袋体の左右両面に、手を差し込む孔を開口１２し、この開口１２に、端部に求軸的な伸縮部１３を形成した筒状部材１４を縫い付け、上記袋体１１の上部にファスナ１５ａを設けて開閉可能にし、該袋体１１の前後面の少なくとも一方に収納部１６，１８，２１を形成してなる構成を採用したもので、上記袋体１１の内面と筒状部材１４の内面および筒状部材１４の端から延長して起毛布２３を巡らせ、上記筒状部材１４は、上記開口１２に縫い付けた部分で折り返し袋体１１内に収納可能にしてなる。
【選択図】図２
0003101138.tif 000002
【実用新案登録請求の範囲】
【請求項１】
前後、左右、上下の各面を構成する部材を縫い合わせてなる袋体の左右両面に、手を差し込む孔を開口し、この開口に、端部に求軸的な伸縮部を形成した筒状部材を縫い付け、上記袋体の上部にファスナを設けて開閉可能にし、該袋体前後面の少なくとも一方に収納部を形成してなるハンドウォーム機能を備えたポシェット。
【請求項２】
上記袋体の内面と筒状部材の内面に起毛布を巡らせ、さらに筒状部材の端から起毛布を延長してなる請求項１に記載のハンドウォーム機能を備えたポシェット。
【請求項３】
上記筒状部材は、上記開口に縫い付けた部分で折り返し袋体内に収納可能にしてなる請求項１または２に記載のハンドウォーム機能を備えたポシェット。
【考案の詳細な説明】
【技術分野】
【０００１】
この考案は、ハンドウォーマーとポシェットの機能を合わせ備えたポシェットに関する。
【背景技術】
【０００２】
冬季に手先を保温するために「マフ」が衣装の飾りを兼ねて古くから使用されてきた。一方、袋物としてポシェットが多用されるようになり、こうした状況のもとでポシェットに「マフ」の機能を備えたものが有ればとの要求が生まれてきている。
【考案の開示】
【考案が解決しようとする課題】
【０００３】
上記の状況に鑑みこの考案は、ハンドウォーム機能を備えたポシェットを提供することを課題とする。
【課題を解決するための手段】
【０００４】
上記課題を解決するためにこの考案は、前後、左右、上下の各面を構成する部材を縫い合わせてなる袋体の左右両面に、手を差し込む孔を開口し、この開口に、端部に求軸的な伸縮部を形成した筒状部材を縫い付け、上記袋体の上部にファスナを設けて開閉可能にし、該袋体の前後面の少なくとも一方に収納部を形成してなる構成を採用したもので、上記袋体の内面と筒状部材の内面に起毛布を巡らせ、さらに筒状部材の端から起毛布を延長し、上記筒状部材は、上記開口に縫い付けた部分で折り返し袋体内に収納可能にしてなる。
【考案の効果】
【０００５】
上記の如く構成するこの考案は、マフとポシェットの機能を兼ね備え、冬季は袋体の両サイドから手を差し込んで保温することができ、収納部には小物等を収納して通常のポシェットとして使用することができる。また、筒状部材は袋体内に折り返し収納可能にしているので、手先だけの保温と、筒状部材を伸ばすことにより手首までの保温をすることができる。
【考案を実施するための最良の形態】
【０００６】
次にこの考案の実施の形態を、図面を参照しながら説明する。前後、左右、上下の各面を構成する布地１１ｆ，１１ｂ，１１ｌ，１１ｒ，１１ｔ，１１ｕを縫い合わせて袋体１１とし、左右両面には手を差し込む孔を開口１２し、この開口１２に、端部にゴム紐を挿入して求軸的な伸縮部１３にした筒状部材１４を縫い付け、上記袋体１１上部にファスナ１５ａを設けて開閉可能にしている。
【０００７】
袋体１１の後面には、上縁から左右両側縁に亘って両側に開くファスナ１５ｂを設けて左右に大きく開く第１収納部１６が形成され、前面には、マチ１７を介して膨らみを持たせ、上部にファスナ１５ｃを設けて開閉可能にし、携帯電話用子袋２８を有する第２収納部１８を形成している。
【０００８】
また、上記袋体１１の前面を構成する布地１１ｆと上面を構成する布地１１ｔが縫い合わされるとき、上記第２収納部１８に被さるフラップ１９が共に縫い合わされ、このフラップ１９の端には片方の磁気フック２０ａが取付けられ、上記第２収納部１８の上記磁気フック２０ａに対応する位置に他方の磁気フック２０ｂが取り付けられている。なお、上記フラップ１９は、二重構造になっていて、上から１／４の位置にファスナ１５ｄを設けて第３収納部２１とし、上記ファスナ１５ｄ上には雨蓋２２が設けられている。
【０００９】
上記袋体１１を縫製する際、起毛布２３を共に縫い合わせ、袋体１１の内面と筒状部材１４の内面に起毛布２３を巡らせて二重構造とし、さらに筒状部材１４の端から起毛布２３を若干延長している。
【００１０】
また、上記起毛布２３と二重構造となった筒状部材１４は、上記開口１２に縫い付けた部分で折り返し袋体１１内に収納可能になっている。また、上記袋体１１には自在カラビナ２４を介してストラップ２５が掛け渡されている。なお、上記実施形態では素材に布地を採用したが、これに限らず、合成皮革、皮革、毛皮など適宜採用することができる。
【００１１】
次に図３を参照しながら使用状態を説明する。ストラップ２５を肩にかけ両サイドの筒状部材１４から手を差し入れている。このとき筒状部材１４の端にゴム紐が入れられており、起毛布２３が延びているので隙間ができず保温効果が大きく、筒状部材１４を袋体１１から引き出して全体を長くできるのでオーバーコート２６の袖口２７まで伸ばして保温することができる。
【産業上の利用可能性】
【００１２】
以上説明した通りこの考案によれば、これまでポシェットとして使われていたものが、寒季ではマフとして兼用することができる。
【００１３】
また、これまで使われてきたポシェットでは、折り畳み傘のような比較的長いものを収納することができなかったが、筒状部材のところで貫通させることができるので比較的長いものでも収納することができる。
【図面の簡単な説明】
【００１４】
【図１】この考案に係るポシェットの斜視図
【図２】（ａ）正面図、（ｂ）図２（ａ）の矢視図
【図３】使用状態図
【符号の説明】
【００１５】
１０  ポシェット
１１  袋体
１１ｆ  前布
１１ｂ  後布
１１ｔ  上布
１１ｕ  底布
１１ｒ  右側布
１１ｌ  左側布
１２  開口
１３  伸縮部
１４  筒状部材
１５ａ，１５ｂ，１５ｃ，１５ｄ  ファスナ
１６  第１収納部
１７  マチ
１８  第２収納部
１９  フラップ
２０ａ，２０ｂ  磁気フック
２１  第３収納部
２２  雨蓋
２３  起毛布
２４  自在カラビナ
２５  ストラップ
２６  オーバーコート
２７  袖口
２８  携帯電話用子袋
【図１】
0003101138.tif 000003
【図２】
0003101138.tif 000004
【図３】
0003101138.tif 000005
(57)【要約】      （修正有）【課題】刃庄部と柄からなる鍬における刃庄部に挿入する形式をとる先端部が角柱の柄において、楔板が動いて刃庄部が外れることなく、又、刃庄部と柄を簡単に取り付けたり外したりすることを可能にする楔のいらない鍬の柄を提供するものである。【解決手段】刃庄部と柄からなる鍬における刃庄部に挿入する形式をとる先端部３が角柱の柄であって、先端部に先端部の頭部５に向かって次第に肉厚となる傾斜面６を形成し、先端部よりも細い後方部を刃庄部の口金部２に挿入し、先端部は口金部に嵌め込まれ固定される楔のいらない鍬の柄としたことを特徴とする。【選択図】図１
0003101155.tif 000002
【実用新案登録請求の範囲】
【請求項１】
先端部が角柱の柄であって、先端部に先端部の頭部に向かって次第に肉厚となる傾斜面を形成したことを特徴とする鍬の柄。
【考案の詳細な説明】
【技術分野】
【０００１】  本考案は、土工や開墾や耕起等に用いられる刃庄部と柄からなる鍬における刃庄部に柄を挿入する形式をとる鍬の柄に関する。
【背景技術】
【０００２】  刃庄部に柄を挿入する形式をとる鍬の刃庄部と柄は、刃庄部の口金部と柄の先端部の間隙に差込部が形成され楔板が圧入され、或は、柄の先端部の頭部に差し込み部が形成され楔板が差し込まれ固定されている。
【考案の開示】
【考案が解決しようとする課題】
【０００３】  しかしながら、刃庄部の口金部と柄の先端部の間隙に差し込み部が形成され楔板が圧入され、或は、柄の先端部に差し込み部が形成され楔板が差し込まれ固定されている鍬は、楔板が動いて刃庄部が外れることがある。又、楔板が差し込まれるので刃庄部と柄を簡単に外すことができないなどの欠点がある。山中において刃庄部の口金部と柄の先端部が緩んだとき柄の頭部を石にあてドンドンと叩いて刃庄部の口金部に確実に嵌め込み固定する輸送などにおいても刃庄部と柄が簡単に取り付けられたり外すことができることを可能にする楔のいらない鍬の柄を提供するものである。
【課題を解決するための手段】
【０００４】  本考案は、刃庄部と柄からなる鍬における刃庄部に挿入する形式をとる先端部が角柱の柄であって、先端部に先端部の頭部に向かって次第に肉厚となる傾斜面を形成し、先端部よりも細い後方部を刃庄部の口金部に確実に嵌め込まれ固定されることを特徴とする楔のいらない鍬の柄を提供することで上記問題を解決する。
【考案の効果】
【０００５】  本考案を使用することで、刃庄部と柄からなる鍬における刃庄部に挿入する形式をとる先端部が角柱の柄において、先端部に先端部の頭部に向かって次第に肉厚となる傾斜面が形成され、先端部よりも細い後方部が刃庄部の口金部に挿入され、垂直にされた鍬の本体の先端部は先端部の頭部で地面を突いて刃庄部の口金部に確実に嵌め込まれ固定されるので刃庄部が外れることはない。又、楔板が差し込まれないため刃庄部と柄は簡単に取り外されたり取り付けられたりすることが可能になる。
【考案を実施するための最良の形態】
【０００６】  刃庄部１と柄４からなる鍬における刃庄部１に挿入する形式をとる先端部が角柱の柄であって、先端部３に先端部の頭部５に向かって次第に肉厚となる傾斜面６を形成し、先端部３よりも細い後方部７を刃庄部１の口金部２に挿入し、先端部３は刃庄部１の口金部２に確実に嵌め込まれ固定される。
【実施例】
【０００７】  刃庄部１と柄４からなる鍬における刃庄部１に挿入する形式をとる先端部が角柱の柄４であって、先端部３に先端部の頭部５に向かって次第に肉厚となる傾斜面６を形成する。刃庄部１と柄４の取り付けにおいて、先端部３よりも細い後方部７を刃庄部１の口金部２に挿入し、垂直にされた鍬の本体の先端部の頭部５で地面を突いて刃庄部１の口金部２に確実に嵌め込まれ固定される。取り外しにおいて、刃庄部１が上になる鍬の本体は垂直にされ、刃庄部１は柄４の後方部の頭部８で地面を突いて外される。
【図面の簡単な説明】
【０００８】
【図１】本実施例の楔のいらない鍬の柄の先端部の平面図である。
【図２】本実施例の楔のいらない鍬の柄の使用状態を示す斜視図である。
【図３】本実施例の楔のいらない鍬の柄の全体の平面図である。
【図４】本実施例の楔のいらない鍬の柄の使用状態を示す正面図である。
【図５】従来実施例の柄の使用状態を示す正面図である。
【符号の説明】
【０００９】１  刃庄部
２  口金部
３  先端部
４  柄
５  先端部の頭部
６  傾斜面
７  後方部
８  後方部の頭部
【図１】
0003101155.tif 000003
【図２】
0003101155.tif 000004
【図３】
0003101155.tif 000005
【図４】
0003101155.tif 000006
【図５】
0003101155.tif 000007
(57)【要約】      （修正有）【課題】犬等ペットが水を飲みたい時に、清潔な健康水を自由にペット自身の力で給水出来る給水器を提供する。【解決手段】上方を開放したボトル１に、ストップバルブ２を内蔵したボトルキャップ３を脱着可能に設け、ボトルの上方に蓋４を被せる、あるいは脱着可能な浄水フィルター５を設けた蓋４を被せて装着する。【選択図】図２
0003101156.tif 000002
【実用新案登録請求の範囲】
【請求項１】
上方を開放したボトル（１）に、ストップバルブ（２）を内蔵したボトルキャップ（３）を脱着可能に設け、前記ボトルの上方に蓋（４）を被せる、あるいは脱着可能な浄水フィルター（５）を設けた蓋（４）を被せてなる、ペット用給水器。
【考案の詳細な説明】
【技術分野】
【０００１】  本考案は、犬等のペットが水を飲みたい時に、自由に自分で給水出来る、技術に関するものである。
【背景技術】
【０００２】  従来、犬等のペットには給水用の皿、茶碗等の器に水を入れてやり、水を与えているが、水が無くなればその都度、買い主が給水していた。また、最近は自動給水を具備したボトル装置が市販されるようになった。
【考案の開示】
【考案が解決しようとする課題】
【０００３】  ペット等を飼うと、エサやり及び水やりは日常さかんに必要とされる。それが複数の犬等を飼うと、非常に面倒である。ましてや、長時間家を空ける場合には水を取り替えてやる事が困難であり、非衛生な状態になる。【０００４】  最近は、この欠点を改善する目的で、犬等が自分で好きな時に水が飲める、自動給水付きのボトル装置が開発されている。特開平１１−３０１７２２のペット用給水キャップをペットボトルの口部に取り付けたもの等がある。【０００５】  しかし、ペットボトルに水を入れるその度に、この給水キャップを外して、また取り付ける手間が必要であった。
本考案は、このような問題を改善する為になされたものである。
【課題を解決するための手段】
【０００６】  ボトルの口部を下にして、底部を切り取って開放させた状態に形成した、上方を開放したボトル（１）に、ストップバルブ（２）を内蔵せしめた、ボトルキャップ（３）をボトルの口部に、脱着可能に設ける。【０００７】  そして前記ボトルの上方の開放部分に蓋（４）を被せる。この蓋（４）には、脱着可能な浄水フィルター（５）を設けたタイプもある。
本考案は、以上のような構成よりなるペット用給水器である。
【考案の効果】
【０００８】  今までの密閉ボトルと比較して、上方が開放されているボトルであるから、上から簡単に給水出来る。また、蓋に脱着可能な浄水フィルターを設けたものは、ペット用の飲料水に欠かせない、上質の健康活性水を提供してくれる。さらにはボトルキャップは簡単に外せるので、上方開放のボトルと分離して、洗浄出来るし、ボトルは密閉ボトルでないので、余すこと無く奇麗に簡単に洗浄出来る。また、通常市販のペットボトルを取り付ける事も可能である。
【考案を実施するための最良の形態】
【０００９】  図１で示す通り、上方を開放したボトル（１）は、上から水を給水出来るように、わざわざ開放した形に形成してある。【００１０】  そして下方のボトル口部分は、タップが切ってあるので、ボトルキャップ（３）をねじ込む方法で、脱着可能に設ける。【００１１】  また前記キャップには、水の吐出口部分にストップバルブ（２）を配設しており、このバルブがボトルキャップ（３）の内壁に通常は密着していて、水を関止めている。【００１２】  さらに、ボトルの上方に蓋（４）を被せて設ける。この蓋（４）は、当然ゴミ、埃、その他異物等が入らない為の帽子として使用する。【００１３】  図２のごとく、この蓋（４）の一部分に脱着可能な、浄水フィルター（５）を設けたタイプもあり、これはベストモードとして開発した。つまりこのタイプの蓋（４）は、ボトルに被せたまま浄水フィルター（５）を通して、水を給水してやれば、犬等ペットの健康に寄与する活性水として提供される。【００１４】  本考案は以上のような構成であり、蓋（４）をとって上方の開放部分より、水を注入または浄水フィルター（５）を設けてある蓋（４）の場合は、そのまま浄水フィルター（５）の部分に通水する。犬等ペットは、そこにやって来て、ボトルキャップ（３）の最下部先端部分に設けてある、ストップバルブ（２）を舌等でなめると、バルブが少し持上がって、水の自然圧で犬等ペットの口の中へ自然に給水される。水飲み行為を止めると、バルブは閉ざされて、水の流出がとまる。
良質の活性水は、水道水その他の水を、浄水フィルター（５）に通すだけで、容易に得られるので、ペットの健康向上に寄与する。【００１５】  蓋（４）に取り付けられた、  浄水フィルター（５）は簡単に脱着出来、その構造は、強力なマグネットの枠の中に取り付けられた、不織布に対して活性炭粉末、発泡セラミック粉末、トルマリン粉末等を練り込んで形成したフィルターが最良である。
【図面の簡単な説明】
【００１６】
【図１】  本考案の断面実施図である。
【図２】  本考案の蓋に浄水フィルターを設けたタイプの断面実施図である。
【符号の説明】
【００１７】  １  上方を開放したボトル
２  ストップバルブ
３  ボトルキャップ
４  蓋
５  浄水フィルター
【図１】
0003101156.tif 000003
【図２】
0003101156.tif 000004
(57)【要約】
【課題】従来の小動物観察器具は、上方からの観察を主目的として供するものであり、前面、背面および底面からの観察、撮影、記録が十分に行えない。本考案は、この不十分さを解消し、上面からはもとより、前面および背面、底面からの観察、撮影、記録を容易ならしめることを課題とする。
【解決手段】透明な素材を使用したケースを製作し、前面、背面にスケールを、上面に蓋を付すことにより、観察、撮影、記録を容易ならしめる。
【選択図】  図１
0003101154.tif 000002
【実用新案登録請求の範囲】
【請求項１】
小生物等の観察、撮影、記録において使用する、前面、背面にスケールを有した携帯用の透明ケース。
【考案の詳細な説明】
【技術分野】
【０００１】  本考案は小動物、例えば魚類や無脊椎動物、昆虫等の観察、撮影、記録に供する器具に属する。
【背景技術】
【０００２】  従来の小動物観察器具は、上方からの観察を主目的として供するものである。
【考案の開示】
【考案が解決しようとする課題】
【０００３】  上方からの観察器具においては、側面および前面、底面からの観察、撮影、記録が十分に行えない。【０００４】  本考案は、上記の不十分さを解消し、上面からはもとより、前面および背面、底面からの観察、撮影、記録を容易ならしめることを課題とする。
【課題を解決するための手段】
【０００５】  前面、背面、側面、底面が透明なケースとし、前面、背面にスケール、上面に透明な蓋を有することによって、多方向からの観察、撮影、記録を可能にするものである。
【考案の効果】
【０００６】  透明であるため多方向からの観察が可能であり、前面および背面に付したスケールにより、容易かつ正確な撮影、記録が可能となる。
【産業上の利用可能性】
【０００７】  学校教材、学術研究分野での利用が可能である。
【図面の簡単な説明】
【０００８】
【図１】  上面、前背面、底面が全て透明な素材であり、かつ前背面にスケール、上面に蓋を付したものである。本考案の外観図である。
【符号の説明】
【０００９】１  台座
２  スケール（ｍｍ単位）
３  前面
４  側面
５  蓋
６  背面
７  側面
８  スケール（ｍｍ単位）
９  底面
【図１】
0003101154.tif 000003
(57)【要約】      （修正有）【課題】体の部分的やせを簡単にさせようとする塩主成分のシート。【解決手段】特殊な紙製のシート１に、天然素材の塩・唐辛子・生姜エキス・卵白・ハチミツを練り塗ったガーゼ３によりその効果を出させ汗も吸収し、後の処分も簡単にした。【選択図】図１
0003101179.tif 000002
【実用新案登録請求の範囲】
【請求項１】
特種紙シート１（空気を通し水分を通さない）に、塩・唐辛子生姜エキス・卵白とハチミツを練り合わせて、発汗促進と美肌効果を出させた物に、ガーゼ２枚を織り込み塗り込んだシート３を置き、塩が漏れないためのギャザー２でサイドをガードしたもので、これらの相乗効果で痩身し美肌させた、各箇所ごとにサイズを変えた部分痩身するシート。
【考案の詳細な説明】
【考案の詳細な説明】
【考案が解決しようとする課題】
【０００１】  従来より、部分的な痩身シートはなく、ましてマッサージや運動等が伴うため利用者にとっては、ほぼ全身を使わなければならない様な、大変面倒な問題をかかえていた。
【課題を解決するための手段】
【０００２】  上記目的を達成するために、塩の脱水効果と、唐辛子・生姜エキスによる発汗促進効果や、卵白・ハチミツによる美肌効果等の相乗効果を合わせ持ったシートを部分的に装着させ、睡眠中でも出来、なおかつ簡単に処分可能という手軽さを備えさせた。
【考案の効果】
【０００３】  二の腕や太股・ウエストなど部分的にだけ痩せたい人は、この部分痩身シートにより、何の苦労もなくダイエットすることが出来る。
【図面の簡単な説明】
【図１】部分痩身シートの正面図である。
【図２】部分痩身シートの裏面図である。
【図３】装着したときの斜面図である。
【符号の説明】
１  特種紙シート
２  塩漏れ防止ギャザー
３  塩・唐辛子・生姜エキス・卵白とハチミツを練り込んだガーゼシート
４  シールマジックテープ
Ａ  腕とか足
【図１】
0003101179.tif 000003
【図２】
0003101179.tif 000004
【図３】
0003101179.tif 000005
(57)【要約】
【課題】  和式トイレの平坦な床面にバランス台（１）を設置すると生じる高低差を利用して、かかとの高さが普通の履物（例えば革靴、スニーカー、スリッパ等）の時は、履物の大小にかかわらず、土踏まずより先の足裏を床面につけ、普通の履物のかかと載せ部分（３）にかかとを載せるだけで、前傾姿勢になり安定する。しかしながら女性のハイヒールの場合、しゃがんだ時かかとが高く、前傾姿勢になりすぎて不安定となる。そこで本考案はかかとが高い履物の場合でも、高低差を利用してバランスを保つことを目的とした和式トイレ用バランス台を提供する。
【解決手段】  本考案は、和式トイレの両足の位置に設置する、厚み０．５〜１ｃｍ程度の肉厚を有する長方形板状のバランス台（１）において、該バランス台後部に凹み形状のハイヒールスペース（２）を設ける。
【選択図】    図１
0003101180.tif 000002
【実用新案登録請求の範囲】
【請求項１】
和式トイレの両足の位置に設置すると生じる高低差を利用した板状のバランス台（１）において、該バランス台（１）後部に凹み形状のハイヒールスペース（２）を設けたことを特徴とする和式トイレ用バランス台。
【請求項２】
請求項１記載の板状のバランス台（１）は、肉厚が０．５〜１ｃｍ程度の長方形状のものであることを特徴とする和式トイレ用バランス台。
【考案の詳細な説明】
【技術分野】
【０００１】本考案は和式トイレでの和式トイレ用バランス台に関するものである。
【背景技術】
【０００２】従来、和式トイレ使用時にかかとを高くする工夫は数多くあった。例えば実開昭５３−２５７６３、実開昭５５−１０９５００、などの提案がなされている。又、特開昭６３−１０５７２６に、ハイヒールのために穴をあけるとされているが、本考案はバランス台自体に傾斜がなく平坦であり、ハイヒールのかかとが多種多様な形態でも対応でき、技術内容が異なる。
【考案の開示】
【考案が解決しようとする課題】
【０００３】  和式トイレの平坦な床面にバランス台（１）を設置すると生じる高低差を利用して、かかとの高さが普通の履物（例えば革靴、スニーカー、スリッパ等）の時は、履物の大小にかかわらず、土踏まずより先の足裏を床面につけ、かかと載せ部分（３）にかかとを載せるだけで、前傾姿勢になり安定する。しかしながら女性のハイヒールの場合、しゃがんだ時かかとが高く、前傾姿勢になりすぎて不安定となる。そこで本考案はかかとが高い履物の場合でも、高低差を利用してバランスを保つことを目的とした和式トイレ用バランス台を提供する。
【課題を解決するための手段】
【０００４】本考案は、和式トイレの両足の位置に設置する、厚み０．５〜１ｃｍ程度の肉厚を有する長方形板状のバランス台（１）において、該バランス台（１）後部に凹み形状のハイヒールスペース（２）を設ける。
【考案の効果】
【０００５】本考案の効果として、ハイヒールスペース（２）を設けたのでハイヒール等の履物でも、適当な重心の位置の姿勢が確保でき、姿勢が安定しやすくなった。
【考案を実施するための最良の形態】
【０００６】  本考案の和式トイレ用バランス台（１）は、厚み０．５〜１ｃｍ程度の肉厚を有し縦２５ｃｍ、横１０ｃｍ〜１５ｃｍ規模の長方形板状に形成されて、後部に凹み形状部分（２）を設けた、図１に示されるような構造であるので、普通の履物でのかかと位置は履物が小さい時はかかと載せ部分（３）の前縁（５）に、大きい時は中心部にのせると姿勢が安定しやすい。
【実施例１】
【０００７】ハイヒールスペース（２）の機能はハイヒールのかかとをハイヒールスペース（２）に位置し、土踏まずより先は、かかと載せ台（３）に載せることにより姿勢を安定さすことである。
【実施例２】
【０００８】本考案の和式トイレ用バランス台（１）は厚み０．５〜１ｃｍ程度の肉厚を有するのが最良である。靴、足のサイズにより個人差があるので多少の程度差はやむをえない、だが、あまり厚みが増すと前後の姿勢バランス保持が困難になる。
【実施例３】
【０００９】本考案の和式トイレ用バランス台（１）に、多様な色彩、絵図柄を施し、公衆用に多く利用されている和式トイレに設置するとイメージが変わる。
【図面の簡単な説明】
【００１０】
【図１】本考案の斜視図である。
【図２】本考案の使用中の斜視図である。
【符号の説明】
【００１１】１：バランス台
２：ハイヒールスペース
３：普通の履物のかかと載せ部分
４：和式トイレ
５：前縁
【図１】
0003101180.tif 000003
【図２】
0003101180.tif 000004